【手続補正書】
【提出日】平成24年5月29日(2012.5.29)
【手続補正１】
【補正対象書類名】特許請求の範囲
【補正対象項目名】全文
【補正方法】変更
【補正の内容】
【特許請求の範囲】
【請求項１】
ネットワークを介して注入療法をモニターおよび／または管理するシステムであって、該システムは、
注入療法を伝達するための少なくとも一つの注入ポンプデバイスと、
該少なくとも一つの注入ポンプデバイスをモニターし、制御するための少なくとも一つの遠隔に配置されたユーザーインターフェースデバイスと、
少なくとも一つのサーバーであって、少なくとも一つのユーザーインターフェースと該少なくとも一つのポンプデバイスとが該ネットワークを介して該少なくとも一つのサーバーを通じて通信するように、該少なくとも一つの注入ポンプデバイスをモニターおよび制御するために該少なくとも一つのユーザーインターフェースが接続されている、少なくとも一つのサーバーであって、該少なくとも一つのサーバーは、（ｉ）該少なくとも一つの注入ポンプデバイスと該少なくとも一つのサーバーとの間にデータを提供するポンプサーバー部分と、（ｉｉ）該少なくとも一つのユーザーインターフェースにおいて該少なくとも一つの注入ポンプデバイスにユーザーアクセスおよび制御を提供するウェブサーバー部分とを含む、少なくとも一つのサーバーと
を含む、システム。
【請求項２】
前記少なくとも一つのサーバーは、
前記ポンプおよび前記少なくとも一つのユーザーインターフェースによって提供されるデータを格納するデータベースをさらに含む、請求項１に記載のシステム。
【請求項３】
前記ネットワークは、イントラネットネットワーク、インターネット、またはイントラネットネットワークとインターネットとの組み合わせである、請求項１に記載のシステム。
【請求項４】
前記イントラネットネットワークは、有線ネットワークまたはワイヤレスネットワークとして実装される、請求項３に記載のシステム。
【請求項５】
前記少なくとも一つのユーザーインターフェースデバイスは、コンピューター、インターネットブラウザー能力を組み込むスマートテレフォン、パーソナルデジタルアシスタント、移動電話および前記少なくとも一つの注入ポンプを含むグループから選択される少なくとも一つのデバイスを含む、請求項１に記載のシステム。
【請求項６】
前記少なくとも一つのユーザーインターフェースデバイスは、前記少なくとも一つのポンプデバイスに格納された情報にアクセスするように構成される、請求項１に記載のシステム。
【請求項７】
前記少なくとも一つのポンプデバイスに格納されたアクセス可能な情報は、注入療法を実施中のサーバー接続された注入ポンプに関係している、請求項６に記載のシステム。
【請求項８】
前記少なくとも一つのユーザーインターフェースデバイスは、以前に投与された注入に関して前記少なくとも一つのポンプデバイスに格納された情報にアクセスするように構成される、請求項６に記載のシステム。
【請求項９】
前記少なくとも一つのユーザーインターフェースデバイスは、患者の病歴に関して前記少なくとも一つのポンプデバイスに格納された情報にアクセスするように構成される、請求項６に記載のシステム。
【請求項１０】
前記ユーザーインターフェースデバイスは、現在投与されているか、または投与されることが予定されている注入療法を制御および管理するために、前記少なくとも一つのポンプデバイスに格納された情報を修正するように構成される、請求項６に記載のシステム。
【請求項１１】
前記少なくとも一つのユーザーインターフェースデバイスは、投与部位から遠隔に配置されている、請求項１に記載のシステム。
【請求項１２】
前記少なくとも一つのポンプデバイスは、注入療法を受ける患者の肉体的または生理的変数をモニターするように構成された装置を含み、該少なくとも一つのユーザーインターフェースは、肉体的または生理的変数を制御およびモニターするように構成される、請求項１に記載のシステム。
【請求項１３】
前記少なくとも一つのポンプデバイスは、注入療法を受ける患者をクエリする装置を含み、前記少なくとも一つのユーザーインターフェースは、注入療法に対する該患者の応答をモニターするように構成される、請求項１に記載のシステム。
【請求項１４】
注入療法をネットワークを介してモニターおよび／または管理する方法であって、該方法は、
少なくとも一つの遠隔に配置されるユーザーインターフェースデバイスを用いて少なくとも一つの注入ポンプデバイスをモニターおよび制御することと、
該注入ポンプデバイスに、および該少なくとも一つの注入ポンプデバイスをモニターおよび制御するために少なくとも一つのユーザーインターフェースが接続されている少なくとも一つのサーバーに情報を格納することと、
該ネットワークを介して該少なくとも一つのサーバーを通じて該少なくとも一つのユーザーインターフェースを用いて該少なくとも一つの注入ポンプデバイスを管理することと、
該少なくとも一つの注入ポンプデバイスと該少なくとも一つのサーバーとの間にデータを提供するために、該少なくとも一つのサーバーのポンプサーバー部分に、ポンプサーバー情報を格納することと、
該少なくとも一つのユーザーインターフェースにユーザーアクセスおよび制御を提供するために、該少なくとも一つのサーバーのウェブサーバー部分に、ウェブサーバー情報を格納することと
を含む、方法。
【請求項１５】
前記注入ポンプデバイスおよび前記少なくとも一つのユーザーインターフェースによって提供される前記データを格納するように前記少なくとも一つのサーバーを構成することを含む、請求項１４に記載の方法。
【請求項１６】
前記少なくとも一つのユーザーインターフェースデバイスを、前記少なくとも一つのポンプデバイスに格納された情報にアクセスするように構成することを含む、請求項１５に記載の方法。
【請求項１７】
注入療法を実施中のサーバー接続された注入ポンプに関係している前記少なくとも一つのポンプデバイスにアクセス可能な情報を格納することを含む、請求項１５に記載の方法。
【請求項１８】
前記少なくとも一つのユーザーインターフェースデバイスを、以前に投与された注入に関して前記少なくとも一つのポンプデバイスに格納された情報にアクセスするように構成することを含む、請求項１５に記載の方法。
【請求項１９】
前記少なくとも一つのユーザーインターフェースデバイスを、患者の病歴に関して前記少なくとも一つのポンプデバイスに格納された情報にアクセスするように構成することを含む、請求項１５に記載の方法。
【請求項２０】
前記ユーザーインターフェースデバイスを、現在投与されているか、または投与されることが予定されている注入療法を制御および管理するために、前記少なくとも一つのポンプに格納された情報を修正するように構成することを含む、請求項１５に記載の方法。
【請求項２１】
前記少なくとも一つのユーザーインターフェースデバイスを投与部位から遠隔に配置することを含む、請求項１４に記載の方法。
【請求項２２】
（ｉ）前記少なくとも一つの注入ポンプデバイスは、注入療法を受ける患者の肉体的または生理的変数をモニターし、（ｉｉ）前記少なくとも一つのユーザーインターフェースは、該肉体的または生理的変数を制御およびモニターする、請求項１４に記載の方法。
【請求項２３】
注入療法を受ける患者にクエリするための前記少なくとも一つのポンプデバイスと、該患者の注入療法に対する応答をモニターするための前記少なくとも一つのユーザーインターフェースとを配置することを含む、請求項１４に記載の方法。